(57)【要約】【課題】変形している表示媒体が撮像部で撮像された場合でも、当該表示媒体に表示される画像を表示部に適切に表示させることが可能な表示制御装置を提供すること。【解決手段】撮像装置３の表示制御装置３８は、画像表示装置２の撮像画像を取得する撮像画像取得部３８１と、画像表示装置２の変形情報を取得する変形情報取得部３８２と、撮像画像および変形情報に基づいて、所定の視線方向から観察される、画像表示装置２が変形していないときの補正画像を撮像表示部３３に表示させる表示制御部３８３と、を備える。【選択図】図１
2015201681.tif 000002
【特許請求の範囲】
【請求項１】
表示媒体の撮像画像を取得する撮像画像取得部と、
前記表示媒体の変形情報を取得する変形情報取得部と、
前記撮像画像および前記変形情報に基づいて、所定の視線方向から観察される、前記表示媒体が変形していないときの補正画像を表示部に表示させる表示制御部と、を備えることを特徴とする表示制御装置。
【請求項２】
撮像画像を生成する撮像部と、
請求項１に記載の表示制御装置と、
前記補正画像を表示する表示部と、を備えることを特徴とする撮像装置。
【請求項３】
請求項１に記載の表示制御装置または請求項２に記載の撮像装置と、
前記表示媒体としての画像表示装置と、
前記画像表示装置に設けられ、当該画像表示装置が変形している状態を検出して前記変形情報を送信する変形検出部と、を備えることを特徴とする画像表示システム。
【請求項４】
表示媒体の撮像画像を取得する撮像画像取得ステップと、
前記表示媒体の変形情報を取得する変形情報取得ステップと、
前記撮像画像および前記変形情報に基づいて、所定の視線方向から観察される、前記表示媒体が変形していないときの補正画像を表示部に表示させる表示制御ステップと、を備えることを特徴とする表示制御方法。
【請求項５】
請求項４に記載の表示制御方法をコンピュータに実施させることを特徴とする表示制御プログラム。
【請求項６】
請求項５に記載の表示制御プログラムがコンピュータにて読み取り可能に記録されたことを特徴とする表示制御プログラムを記録した記録媒体。
【発明の詳細な説明】
【技術分野】
【０００１】
本発明は、表示制御装置、撮像装置、画像表示システム、表示制御方法、表示制御プログラム、および、表示制御プログラムを記録した記録媒体に関する。
【背景技術】
【０００２】
従来、撮像装置を収容した円筒形状のカメラ本体と、可撓性を有するモニタ部と、を備え、モニタ部がカメラ本体の周囲にロール状に巻装可能なデジタルカメラが知られている（例えば、特許文献１参照）。
また、湾曲柔軟性のあるシート状の画像読取部と、この画像読取部で読み取られた画像を表示する表示部と、を備えた画像読取表示装置が知られている（例えば、特許文献２参照）。この特許文献２の構成では、読取対象物が画像読取部と表示部との間に挟持され、この挟持された読取対象物を画像読取部が読み取るように構成されている。
【先行技術文献】
【特許文献】
【０００３】
【特許文献１】特開２００６−２５４０４号公報
【特許文献２】特開２００５−１１５６６１号公報
【発明の概要】
【発明が解決しようとする課題】
【０００４】
しかしながら、特許文献１のような構成では、可撓性を有する表示媒体を撮像対象にした場合、表示媒体が曲がっているときには、この表示媒体の画像が曲がった状態でモニタ部に表示されてしまうおそれがある。
また、特許文献２のような構成では、画像読取部が湾曲できないような形状に表示媒体が曲がっているときには、この表示媒体の画像を適切に読み取ることができず、表示部に適切な画像を表示できないおそれがある。
【０００５】
本発明は、変形している表示媒体が撮像部で撮像された場合でも、当該表示媒体に表示される画像を表示部に適切に表示させることが可能な表示制御装置、撮像装置、画像表示システム、表示制御方法、表示制御プログラム、および、表示制御プログラムを記録した記録媒体を提供することを１つの目的とする。
【課題を解決するための手段】
【０００６】
請求項１に記載の発明は、表示媒体の撮像画像を取得する撮像画像取得部と、前記表示媒体の変形情報を取得する変形情報取得部と、前記撮像画像および前記変形情報に基づいて、所定の視線方向から観察される、前記表示媒体が変形していないときの補正画像を表示部に表示させる表示制御部と、を備えることを特徴とする表示制御装置である。
【０００７】
請求項２に記載の発明は、撮像画像を生成する撮像部と、請求項１に記載の表示制御装置と、前記補正画像を表示する表示部と、を備えることを特徴とする撮像装置である。
【０００８】
請求項３に記載の発明は、請求項１に記載の表示制御装置または請求項２に記載の撮像装置と、前記表示媒体としての画像表示装置と、前記画像表示装置に設けられ、当該画像表示装置が変形している状態を検出して前記変形情報を送信する変形検出部と、を備えることを特徴とする画像表示システムである。
【０００９】
請求項４に記載の発明は、表示媒体の撮像画像を取得する撮像画像取得ステップと、前記表示媒体の変形情報を取得する変形情報取得ステップと、前記撮像画像および前記変形情報に基づいて、所定の視線方向から観察される、前記表示媒体が変形していないときの補正画像を表示部に表示させる表示制御ステップと、を備えることを特徴とする表示制御方法である。
【００１０】
請求項５に記載の発明は、請求項４に記載の表示制御方法をコンピュータに実施させることを特徴とするである。
【００１１】
請求項６に記載の発明は、請求項５に記載の表示制御プログラムがコンピュータにて読み取り可能に記録されたことを特徴とする表示制御プログラムを記録した記録媒体である。
【図面の簡単な説明】
【００１２】
【図１】本発明の一実施形態に係る画像表示システムのブロック図。
【図２】前記一実施形態における画像表示装置の模式図であり、（Ａ）は画像表示装置が曲げられる前の斜視図、（Ｂ）は画像表示装置が曲げられた後の斜視図。
【図３】前記一実施形態における画像表示システムの使用状態を示す斜視図。
【図４】前記一実施形態における表示制御方法のフローチャート。
【図５】前記一実施形態における撮像装置に表示される画像の模式図であり、（Ａ）は補正前の撮像画像、（Ｂ）は補正画像または画像表示装置が曲げられていないときの撮像画像を表す。
【発明を実施するための形態】
【００１３】
以下、本発明の一実施形態について説明する。
［画像表示システムの構成］
図１において、画像表示システム１は、表示媒体としての画像表示装置２と、撮像装置３と、を備える。
画像表示装置２は、デスクトップ型、ラップトップ型、テーブル型、壁掛け型の端末であってもよいし、いわゆるスマートフォン（Smartphone）や、タブレットＰＣ（Tablet PC）といった、携帯型の通信端末であってもよい。
画像表示装置２は、図２（Ａ）に示すように、天面２１１に長方形の開口部２１２を有する略長方形箱状のケース２１と、このケース２１の開口部２１２から露出するように設けられた画像表示部２２と、を備える。ケース２１は、図２（Ｂ）に示すように長手方向両端側（図２（Ａ）における左右両端側）や、短手方向両端側（図２（Ａ）における上下両端側）が、図２（Ａ）の紙面手前側や紙面奥側に折り曲げ可能に構成されている。また、ケース２１は、ねじることもできるように構成されている。画像表示部２２は、可撓性を有する材料により、例えばフィルム状に形成されている。このため、ケース２１が折り曲げられたりねじられたりして変形すると、画像表示部２２もケース２１と同じように変形する。なお、ケース２１には、変形した状態を維持できる維持機構が設けられていることが好ましい。
また、画像表示装置２は、図１に示すように、指示位置検出部２３と、変形検出部２４と、通信部２５と、記憶部２６と、制御部２７と、を備える。
【００１４】
指示位置検出部２３は、人間の指やスタイラス等の指示物が画像表示部２２に接触または近接したときに、接触位置または近接位置を指示位置として検出し、その検出結果を制御部２７に出力する。
なお、指示位置検出部２３としては、赤外線方式や静電容量方式や電磁誘導方式などの各種方式のタッチパネルを用いることができる。また、指示位置検出部２３は、タッチパネルに限定されず、例えば、画像表示装置２に接続されたマウスやキーボード等のユーザによる操作指示を、画像表示装置２に入力可能な各種入力手段でもよい。
【００１５】
変形検出部２４は、画像表示装置２が変形したことを検出し、その検出結果を制御部２７へ出力する。
この変形検出部２４としては、有機圧電フィルムを用いた構成が例示できる。有機圧電フィルムは、キラル高分子である特殊ポリエステルを原料としている。そして、変形検出部２４は、有機圧電フィルムからそれぞれ切り出された第１フィルムと、第２フィルムと、を備える。第１，第２フィルムは、画像表示部２２の平面形状と略等しい長方形状に形成されている。第１フィルムは、有機圧電フィルムの分子の配向方向に対して４５°の角度で切り出され、画像表示部２２の一方の面に貼り付けられている。第２フィルムは、有機圧電フィルムの分子の配向方向に沿って切り出され、画像表示部２２の他方の面に貼り付けられている。このような構成により、画像表示装置２が曲げられたりねじられたりして変形すると、圧電効果により、この変形に応じた電圧が第１フィルムや第２フィルムから発生する。変形検出部２４は、この第１，第２フィルムから発生した電圧を、画像表示装置２の変形検出結果として制御部２７へ出力する。また、変形検出部２４は、画像表示装置２が変形していない場合、変形検出結果を制御部２７へ出力しない。
なお、変形検出部２４は、画像表示装置２が変形していない場合でも、変形していないことを表す情報を制御部２７へ出力してもよい。
【００１６】
通信部２５は、撮像装置３と各種情報を送受信可能に構成されている。なお、通信部２５と撮像装置３との各種情報の送受信は、有線媒体、無線媒体のいずれであってもよいが、本実施形態では、無線媒体を用いる場合を例示して説明する。
【００１７】
記憶部２６は、画像表示装置２を動作させるための各種情報や、画像表示部２２に画像ＰＡを表示させるためのデータなどを記憶する。
【００１８】
制御部２７は、記憶部２６に記憶されたプログラムおよびデータをＣＰＵ（Central Processing Unit）が処理することにより構成されている。
制御部２７は、指示位置検出部２３での検出結果に基づいて、画像表示装置２に対する操作内容を判断し、この判断した操作内容に基づく処理を実施する。例えば、制御部２７は、指示位置検出部２３での検出結果に基づいて、画像表示部２２に画像ＰＡを表示させる。
また、制御部２７は、変形検出部２４での検出結果に基づいて、画像表示装置２が変形している状態を判断し、この判断した状態を表す変形情報を、通信部２５を介して撮像装置３へ送信する。この変形情報としては、画像表示部２２における、複数の変形検出位置の基準状態（変形していない状態）からの変形量や、変形前後の座標を表す情報が例示できる。また、制御部２７は、画像表示装置２が変形していない場合でも、変形していないことを表す変形情報を撮像装置３へ送信する。
【００１９】
撮像装置３は、例えばデジタルカメラであり、図３に示すように、前面３１１が開口する略長方形箱状の本体３１を備える。本体３１における前面３１１の反対側の後面３１２には、レンズ部３２が設けられている。本体３１には、前面３１１の開口から露出するように、表示部としての撮像表示部３３が設けられている。さらに、本体３１の前面３１１および上面３１３には、操作状態に応じた操作信号を出力する操作部３４が配置されている。
また、本体３１には、図１に示すように、撮像部３５と、通信部３６と、記憶部３７と、表示制御装置３８とが設けられている。
【００２０】
撮像部３５は、レンズ部３２と、図示しない撮像素子となどから構成されている。撮像部３５は、表示制御装置３８の制御により被写体を撮像し、撮像画像ＰＢ（例えば、図５（Ａ），（Ｂ）参照）を生成する。
【００２１】
通信部３６は、無線媒体を用いて、画像表示装置２の通信部２５と各種情報を送受信可能に構成されている。
記憶部３７は、撮像装置３を動作させるための各種情報、撮像表示部３３に撮像画像ＰＢや補正画像ＰＤ（例えば、図５（Ｂ）参照）を表示させるためのデータなどを記憶する。
表示制御装置３８は、記憶部３７に記憶されたプログラムおよびデータをＣＰＵ（Central Processing Unit）が処理することにより構成され、撮像画像取得部３８１と、変形情報取得部３８２と、表示制御部３８３と、を備える。
【００２２】
撮像画像取得部３８１は、撮像部３５から撮像画像ＰＢを取得する。
変形情報取得部３８２は、画像表示装置２から変形情報を取得する。
表示制御部３８３は、変形情報および撮像画像ＰＢに基づいて、撮像者の目Ｅの視線方向Ｌから観察される、画像表示装置２が変形していないときの補正画像ＰＤを撮像表示部３３に表示する。
【００２３】
［画像表示システムの作用］
次に、画像表示システム１の作用として、表示制御方法について説明する。
画像表示装置２の画像表示部２２に画像ＰＡが表示されている状態において、画像表示システム１を構成する表示制御装置３８の撮像画像取得部３８１は、図４に示すように、画像表示装置２を撮像中か否かを判断する（ステップＳ１）。このステップＳ１において、撮像画像取得部３８１は、撮像中でないと判断した場合、所定時間経過後にステップＳ１の処理を行い、撮像中であると判断した場合、撮像部３５から撮像画像ＰＢを取得する（ステップＳ２：撮像画像取得ステップ）。この後、変形情報取得部３８２は、画像表示装置２から変形情報を取得する（ステップＳ３：変形情報取得ステップ）。
【００２４】
そして、表示制御部３８３は、変形情報に基づいて、画像表示装置２が変形しているか否かを判断する（ステップＳ４）。このステップＳ４において、表示制御部３８３は、画像表示装置２が変形していると判断した場合、補正画像生成処理を行う（ステップＳ５）。具体的には、表示制御部３８３は、変形情報に基づいて、図５（Ａ）に示すような撮像画像ＰＢを補正し、図５（Ｂ）に示すように、視線方向Ｌから観察される画像表示装置２が変形していないときの補正画像ＰＤを生成する。
【００２５】
次に、表示制御部３８３は、図４に示すように、表示面３３１に補正画像ＰＤを表示させ（ステップＳ６：表示制御ステップ）、処理の終了操作が行われたか否かを判断する（ステップＳ７）。このステップＳ７において、表示制御装置３８は、終了操作が行われたと判断した場合、処理を終了し、終了操作が行われていないと判断した場合、ステップＳ１の処理を行う。
【００２６】
一方、ステップＳ４において、表示制御部３８３は、撮像画像ＰＢ中の画像表示装置２が変形していないと判断した場合、撮像画像ＰＢをそのまま撮像表示部３３に表示させる（ステップＳ８）。例えば、表示制御部３８３は、図５（Ｂ）に示すように、画像表示装置２が曲がっていない（変形していない）撮像画像ＰＢをそのまま撮像表示部３３に表示させる。
【００２７】
［実施形態の作用効果］
上述したような実施形態では、以下のような作用効果を奏することができる。
（１）表示制御装置３８は、画像表示装置２に関する変形情報に基づき、画像表示装置２の撮像画像ＰＢを補正して、所定の視線方向Ｌから観察される画像表示装置２が変形していないときの補正画像ＰＤを、撮像表示部３３に表示させる。
このため、画像ＰＡを表示中の画像表示装置２が変形していても、撮像画像ＰＢに写っている画像ＰＡを曲がっていない状態に補正して、撮像表示部３３に適切に表示させることができる。また、変形情報に基づいて撮像画像ＰＢを補正するため、画像表示装置２がどのように変形していても、撮像表示部３３に画像ＰＡを適切に表示させることができる。
【００２８】
（２）撮像表示部３３に補正画像ＰＤを表示させる表示制御装置３８を、撮像装置３に設けているため、撮像者は、撮像したその場で、視点を動かすことなく補正画像ＰＤを見ることができる。
【００２９】
［変形例］
なお、本発明は、上述の実施形態に限定されるものではなく、本発明の目的を達成できる範囲での変形、改良などは本発明に含まれるものである。
【００３０】
すなわち、伸縮可能なケース２１および画像表示部２２から構成された画像表示装置２を用い、例えば画像表示装置２が伸ばされているときの画像ＰＡが写っている撮像画像ＰＢを補正して、画像表示装置２が伸ばされていないときの画像ＰＡが写っている補正画像ＰＤを生成してもよい。さらには、変形検出部２４は、画像表示装置２の曲げ、ねじれ、伸縮のうち少なくともいずれか１つを検出してもよい。
【００３１】
また、画像表示装置２に変形検出部２４を設けずに、撮像者が画像表示装置２の変形状態を目視やセンサによって認識し、この認識結果を撮像装置３の操作で設定入力することにより、変形情報を変形情報取得部３８２が取得するようにしてもよい。
さらに、表示制御装置３８を撮像装置３の本体３１に設けずに、撮像装置３とは別体のコンピュータなどに設けてもよい。
また、本発明の表示媒体としては、紙媒体であってもよい。この場合、紙媒体の変形を検出可能な変形検出部としての公知のセンサを、紙媒体に設ければよい。
【００３２】
さらに、上述した各機能をプログラムとして構築したが、例えば回路基板などのハードウェアあるいは１つのＩＣ（Integrated Circuit）などの素子にて構成するなどしてもよく、いずれの形態としても利用できる。
また、上述した本発明の表示制御方法をコンピュータに実施させるためのプログラムを、電気通信回線を通じて提供したり、記録媒体に記録して譲渡したりすれば、取扱いが容易で、利用の拡大を容易に図れる。
【符号の説明】
【００３３】
１…画像表示システム
２…画像表示装置（表示媒体）
３…撮像装置
３３…撮像表示部（表示部）
３５…撮像部
３８…表示制御装置
３８１…撮像画像取得部
３８２…変形情報取得部
３８３…表示制御部
ＰＡ…画像
ＰＢ…撮像画像
ＰＤ…補正画像
【図１】
2015201681.tif 000003
【図２】
2015201681.tif 000004
【図３】
2015201681.tif 000005
【図４】
2015201681.tif 000006
【図５】
2015201681.tif 000007